(57)【要約】【課題】ユーザーが他の人の薬を自分用の薬と間違うことを抑制する。【解決手段】インクジェット記録装置１は、画像形成部３、及び制御部１２を備える。画像形成部３は、記録ヘッド３４を備え、薬のパッケージ６に画像を形成する。制御部１２は、第１決定部１２１と、付与部１２３とを備える。第１決定部１２３は、薬を服用する人を示す香りを決定する。付与部１２３は、第１決定部１２３が決定した香りを、薬のパッケージ６に付与する。【選択図】図２
2018166627.tif 000002
【特許請求の範囲】
【請求項１】
薬を服用する人を示す香りを決定する第１決定部と、
前記第１決定部が決定した香りを、前記薬のパッケージに付与する付与部と
を備える、画像形成装置。
【請求項２】
前記付与部は、薬カレンダーが印刷される用紙に、前記第１決定部が決定した香りを付与し、
前記薬カレンダーは、前記薬を服用する月日、及び前記薬を服用する曜日の少なくとも一方を示す、請求項１に記載の画像形成装置。
【請求項３】
前記用紙に香りを付与する時点から、前記薬を服用する月日までの期間に応じて、前記香りの強さを決定する第２決定部を更に備え、
前記付与部は、前記薬カレンダーの前記薬を服用する月日を示す位置に、前記第２決定部が決定した強さの香りを付与する、請求項２に記載の画像形成装置。
【請求項４】
前記第１決定部は、前記薬を服用する曜日又は前記薬を服用する月日を示す色を決定し、
前記第１決定部が決定した色の画像を、前記薬のパッケージに形成する形成部を更に備える、請求項１から請求項３のいずれか１項に記載の画像形成装置。
【請求項５】
前記形成部は、薬カレンダーが印刷される用紙に前記第１決定部が決定した色の画像を形成する、請求項４に記載の画像形成装置。
【請求項６】
前記第１決定部は、前記薬を服用する時間帯を示すマークを決定し、
前記形成部は、前記第１決定部が決定したマークの画像を、前記薬のパッケージに形成する、請求項４又は請求項５に記載の画像形成装置。
【請求項７】
前記第１決定部は、ユーザーからの指示に基づいて、前記香り、及び前記マークの少なくとも一方を決定する、請求項６に記載の画像形成装置。
【請求項８】
前記画像形成装置はカラーインクジェット記録装置であって、
前記香りの成分は、各色のインクに互いに相違する成分が添加されており、
前記付与部は、前記インクを前記薬のパッケージに噴射することによって、前記薬のパッケージに前記香りを付与する、請求項１から請求項７のいずれか１項に記載の画像形成装置。
【発明の詳細な説明】
【技術分野】
【０００１】
本発明は、画像形成装置に関する。
【背景技術】
【０００２】
特許文献１に記載の「飲み忘れ防止ボード」は、ベース板、カレンダー欄部、及び密閉容器を備える。カレンダー欄部は、ベース板にカレンダー欄が形成されている。ベース板は、鋼板で形成されている。カレンダー欄は、曜日が記載され、日付が記載されていない表である。密閉容器は、その表面に、日付表示部を有する。日付表示部には、１から３１までの数字が１つずつ付されている。密閉容器は、薬を収納する。密閉容器の裏面には、マグネットを有する。カレンダー欄部に、日付表示部の数字が暦に対応するように密閉容器が取付けられる。
【先行技術文献】
【特許文献】
【０００３】
【特許文献１】特開２０１３−１７９９６８号公報
【発明の概要】
【発明が解決しようとする課題】
【０００４】
しかしながら、特許文献１に記載の「飲み忘れ防止ボード」では、ユーザーが適正ではない薬（例えば、他の人の薬）を密閉容器に収納する可能性がある。例えば、同居する２人が同じ種類の薬を服用している場合には、ユーザーが他の人の薬を自分用の薬と間違う可能性がある。
【０００５】
本発明は、上記課題に鑑みてなされたものであり、ユーザーが他の人の薬を自分用の薬と間違うことを抑制することの可能な画像形成装置を提供することを目的としている。
【課題を解決するための手段】
【０００６】
本発明の画像形成装置は、第１決定部と、付与部とを備える。前記第１決定部は、薬を服用する人を示す香りを決定する。前記付与部は、前記第１決定部が決定した香りを、前記薬のパッケージに付与する。
【発明の効果】
【０００７】
本発明の画像形成装置によれば、ユーザーが他の人の薬を自分用の薬と間違うことを抑制できる。
【図面の簡単な説明】
【０００８】
【図１】本実施形態に係るインクジェット記録装置の構成を示す図である。
【図２】制御部の構成を示す図である。
【図３】（ａ）は、薬のパッケージを示す斜視図である。（ｂ）は、薬のパッケージの裏面を示す図である。
【図４】薬収納ボードを示す正面図である。
【図５】薬収納ボードを示す側面図である。
【図６】薬カレンダーが印刷された用紙を示す図である。
【図７】制御部の処理を示すフローチャートである。
【発明を実施するための形態】
【０００９】
以下、本発明の実施形態について、図面（図１〜図７）を参照しながら説明する。なお、図中、同一又は相当部分については同一の参照符号を付して説明を繰り返さない。
【００１０】
まず、図１を参照して、本実施形態に係るインクジェット記録装置１について説明する。図１は、本実施形態に係るインクジェット記録装置１の構成を示す図である。インクジェット記録装置１は、装置筐体１００、給送部２、画像形成部３、用紙搬送部４、排出部５、制御部１２及び、操作表示部１３を備える。インクジェット記録装置１は、「画像形成装置」の一例に相当する。
【００１１】
給送部２は、装置筐体１００の内部の下方に配置される。給送部２は、給紙カセット２１、給紙ローラー２２、及びガイド板２３を備える。給紙カセット２１は、薬のパッケージ６又は用紙８を収納し、装置筐体１００に着脱自在である。給送部２は、薬のパッケージ６（又は用紙８）を用紙搬送部４に給送する。
【００１２】
用紙搬送部４は、画像形成部３の一方側（図１では右側）に配置される。用紙搬送部４は、用紙搬送路４１、第１搬送ローラー対４２、第２搬送ローラー対４３、及び、レジストローラー対４４を備える。用紙搬送部４は、薬のパッケージ６（又は用紙８）を画像形成タイミングに合わせて画像形成部３に送出する。
【００１３】
画像形成部３は、給送部２の上方に配置される。画像形成部３は、搬送ベルト３２、記録ヘッド３４（４種類の記録ヘッド３４ａ、３４ｂ、３４ｃ、及び、３４ｄ）、及び搬送ガイド３６を備える。画像形成部３は、薬のパッケージ６又は用紙８に画像を形成する。
【００１４】
記録ヘッド３４ａには、シアン色のインクＫｃが収納される。記録ヘッド３４ｂには、マゼンタ色のインクＫｍが収納される。記録ヘッド３４ｃには、イエロー色のインクＫｙが収納される。記録ヘッド３４ｄには、ブラック色のインクＫｋが収納される。
【００１５】
インクＫｃ、インクＫｍ、インクＫｙ、及びインクＫｋには、それぞれ、芳香性を有する成分が含まれている。また、インクＫｃ〜インクＫｋにそれぞれ含まれる芳香性を有する成分は、互いに相違する。芳香性を有する成分は、アンバーグリス（リュウゼン香）、ベンゾイン（安息香）、丁字油、ジャスミンアブソリュート、ミモザ、バイオレットリーフアブソリュートのような天然香料、高級アルコール、アルデヒド、ベンズアルデヒド、安息香酸、ケイ皮酸、クマリン、エステル、及びケトンのような合成香料を含む。
【００１６】
インクＫｃ〜インクＫｋにそれぞれ含まれる芳香性を有する成分は、互いに相違するため、異なる色の画像を薬のパッケージ６（又は用紙８）に形成すると、画像から異なる香りがする。このようにして、種々の香りの画像をパッケージ６（又は用紙８）に形成できる。また、同じ色の画像を濃くするに応じて、画像からの香りが強くなる。
【００１７】
排出部５は、画像形成部３の他方側（図１では左側）に配置される。排出部５は、排出ローラー対５１、及び、排出トレイ５２を備える。排出部５は、薬のパッケージ６又は用紙８を、排出口１１を介して、装置筐体１００の外部に排出する。
【００１８】
制御部１２は、プロセッサー、及び記憶部を備える。プロセッサーは、例えばＣＰＵ（Ｃｅｎｔｒａｌ  Ｐｒｏｃｅｓｓｉｎｇ  Ｕｎｉｔ）を備える。記憶部は、半導体メモリーのようなメモリーを備え、ＨＤＤ（Ｈａｒｄ  Ｄｉｓｋ  Ｄｒｉｖｅ）を備えてもよい。記憶部は、制御プログラムを記憶している。
【００１９】
操作表示部１３は、タッチパネル１３１を備える。タッチパネル１３１は、例えば、ＬＣＤ（Ｌｉｑｕｉｄ  Ｃｒｙｓｔａｌ  Ｄｉｓｐｌａｙ）を備え、種々の画像を表示する。タッチパネル１３１は、タッチセンサーを更に備え、ユーザーの操作を受け付ける。
【００２０】
次に、図１及び図２を参照して、制御部１２の構成について説明する。図２は、制御部１２の構成を示す図である。図２に示すように、制御部１２は、第１決定部１２１、第２決定部１２２、付与部１２３、及び形成部１２４を備える。具体的には、プロセッサーが制御プログラムを実行することによって、第１決定部１２１、第２決定部１２２、付与部１２３、及び形成部１２４として機能する。
【００２１】
第１決定部１２１は、ユーザーからの指示に基づいて、薬を服用する人を示す香りを決定する。具体的には、第１決定部１２１は、薬を服用する人毎に、対応する香りを決定する。例えば、第１決定部１２１は、選択可能な複数の香りの中から、薬を服用する人が所望する香りを、その人を示す香りとして決定する。
【００２２】
また、第１決定部１２１は、ユーザーからの指示に基づいて、薬を服用する曜日を示す色を決定する。
【００２３】
第２決定部１２２は、薬のパッケージ６に香りを付与する時点から薬を服用する月日までの期間に応じて、香りの強さを決定する。
【００２４】
付与部１２３は、第１決定部１２１が決定した香りを、薬のパッケージ６に付与する。
【００２５】
形成部１２４は、第１決定部１２１が決定した色の画像を、薬のパッケージ６に形成する。
【００２６】
以上、図１及び図２を参照して説明したように、薬を服用する人を示す香りを薬のパッケージ６に付与するため、ユーザーが他の人の薬を自分用の薬と間違うことを抑制できる。
【００２７】
また、各色のインクＫｃ〜Ｋｋに互いに相違する香りの成分が添加されている。そして、インクＫｃ〜Ｋｋを薬のパッケージ６に噴射することによって、薬のパッケージ６に香りを付与する。したがって、複数の色のインクＫｃ〜Ｋｋを薬のパッケージ６に噴射することによって、種々の香りを付与できる。
【００２８】
次に、図１〜図３（ａ）及び図３（ｂ）を参照して、制御部１２の構成について更に説明する。図３（ａ）は、薬６３のパッケージ６を示す斜視図である。図３（ｂ）は、薬６３のパッケージ６の裏面を示す図である。
【００２９】
図３（ａ）に示すように、薬６３のパッケージ６は、表面フィルム６１、裏面フィルム６２、及び薬６３を有する。薬６３は、例えば、錠剤である。
【００３０】
表面フィルム６１には、透明の樹脂で形成され、薬６３を収納する空間が形成されている。裏面フィルム６２は、樹脂で形成され、略平面状に形成されている。表面フィルム６１と裏面フィルム６２とは、例えば、接着剤で接着されている。
【００３１】
本実施形態では、インクＫｃ〜インクＫｋにそれぞれ含まれる芳香性を有する成分は、互いに相違するため、色を決定すると、その色の画像の香りが決定することになる。そこで、第１決定部１２１は、薬６３を服用する曜日を示す色の濃度を決定する。
【００３２】
第２決定部１２２は、用紙８に香りを付与する時点から薬６３を服用する月日までの期間に応じて、香りの強さを決定する。具体的には、第２決定部１２２は、期間が長い程、香りの強さを強くする。
【００３３】
付与部１２３は、第１決定部１２１が決定した香りを、薬６３のパッケージ６に付与する。すなわち、付与部１２３は、第１決定部１２１が決定した香りを構成するインクＫｃ〜インクＫｋを、記録ヘッド３４から薬６３のパッケージ６に噴射することによって、薬６３のパッケージ６に香りを付与する。具体的には、付与部１２３は、第１決定部１２１が決定した香りに対応する色の画像を、薬６３のパッケージ６に形成する。
【００３４】
更に、第１決定部１２１は、ユーザーからの指示に基づいて、薬６３を服用する時間帯を示すマークを決定する。例えば、第１決定部１２１は、選択可能な複数のマークの中から、朝を示す朝マークＭＭ、昼を示す昼マークＭＡ、及び晩を示す晩マークＭＥを決定する。
【００３５】
形成部１２４は、第１決定部１２１が決定した濃度の色画像を薬６３のパッケージ６に形成する。色の濃度は、薬６３を服用する曜日を示す。
【００３６】
また、形成部１２４は、第１決定部１２１が決定したマークＭの画像を、薬６３のパッケージ６に形成する。具体的には、形成部１２４は、朝を示す朝マークＭＭ、昼を示す昼マークＭＡ、及び晩を示す晩マークＭＥを薬６３のパッケージ６に形成する。
【００３７】
図３（ｂ）に示すように、裏面フィルム６２には、月曜日を示す濃度の色画像６２１、火曜日を示す濃度の色画像６２２、水曜日を示す濃度の色画像６２３、木曜日を示す濃度の色画像６２４、及び金曜日を示す濃度の色画像６２５が形成されている。本実施形態では、各曜日に対応する色画像６２１〜６２５の濃度は、下記の（１）式を満たす。
色画像６２１の濃度＜色画像６２２の濃度＜色画像６２３の濃度
＜色画像６２４の濃度＜色画像６２５の濃度    （１）
【００３８】
また、色画像６２１は、３つの錠剤の裏面に形成され、各錠剤の裏面には、それぞれ、朝マークＭＭ、昼マークＭＡ、及び晩マークＭＥが形成される。朝マークＭＭに対応する錠剤は、月曜日の朝に服用することを示す。昼マークＭＡに対応する錠剤は、月曜日の昼に服用することを示す。晩マークＭＥ対応する錠剤は、月曜日の晩に服用することを示す。
【００３９】
色画像６２１と同様に、色画像６２２〜色画像６２４も、３つの錠剤の裏面に形成され、各錠剤の裏面には、それぞれ、朝マークＭＭ、昼マークＭＡ、及び晩マークＭＥが形成される。朝マークＭＭに対応する錠剤は、それぞれ、火曜日〜木曜日の朝に服用することを示す。昼マークＭＡに対応する錠剤は、それぞれ、火曜日〜木曜日の昼に服用することを示す。晩マークＭＥ対応する錠剤は、それぞれ、火曜日〜木曜日の晩に服用することを示す。
【００４０】
色画像６２５は、２つの錠剤の裏面に形成され、各錠剤の裏面には、それぞれ、朝マークＭＭ、及び昼マークＭＡが形成されている。朝マークＭＭに対応する錠剤は、金曜日の朝に服用することを示す。昼マークＭＡに対応する錠剤は、金曜日の昼に服用することを示す。
【００４１】
以上、図１〜図３（ａ）及び図３（ｂ）を参照して説明したように、本実施形態では、形成部１２４が、薬６３を服用する曜日を示す色画像６１２〜６２５を、薬６３のパッケージ６に形成する。したがって、薬６３を服用する曜日をユーザーが間違うことを抑制できる。
【００４２】
また、形成部１２４が、時間帯を示すマークＭＭ、ＭＡ、ＭＥの画像を、薬６３のパッケージ６に形成する。したがって、薬６３を服用する時間帯をユーザーが間違えることを抑制できる。
【００４３】
更に、第１決定部１２１は、ユーザーからの指示に基づいて、薬６３のパッケージ６に形成するマークＭＭ、ＭＡ、ＭＥを決定する。したがって、ユーザーの所望するマークＭＭ、ＭＡ、ＭＥを、薬６３のパッケージ６に形成できる。
【００４４】
次に、図１〜図６を参照して、制御部１２の構成について更に説明する。図４は、薬収納ボード７を示す正面図である。図５は、薬収納ボード７を示す側面図である。図６は、薬カレンダーが印刷された用紙８を示す図である。
【００４５】
図４及び図５に示すように、薬収納ボード７は、本体７１、収納容器７２、及び脚部７５を備える。
【００４６】
本体７１は、用紙８を収納する。また、本体７１は、収納容器７２を着脱自在に構成される。本体７１は、例えば、透明の樹脂製である。また、図５に示すように、本体７１は、表面板７１１、裏面板７１２、開口７１３及び吊り下げ孔７４を有する。
【００４７】
図５に示すように、表面板７１１は、用紙８の表面側を覆う板状部材である。裏面板７１２は、用紙８の裏面側を覆う板状部材である。表面板７１１と裏面板７１２とは、下部及び幅方向の両側端部が連結されている。幅方向は、図４では左右方向を示す。本体７１は、上部が開口された薄い箱状に形成されている。
【００４８】
開口７１３は、本体７１の上部に形成されている。開口７１３には、上方から用紙８が表面板７１１と裏面板７１２との間に挿入される。用紙８は、表面板７１１及び裏面板７１２によって挟持される。
【００４９】
表面板７１１は、複数の通気孔７６を有する。通気孔７６は、用紙８に付与された香りを大気中に放出する。複数の通気孔７６は、それぞれ、略円形状に形成され、表面板７１１に格子状に配置される。
【００５０】
吊り下げ孔７４は、本体７１の上部の幅方向略中央部に配置されている。具体的には、図５に示すように、薬収納ボード７をフック９に吊り下げる場合に、吊り下げ孔７４は、フック９が挿通される。フック９は、壁ＷＬに固定されている。
【００５１】
収納容器７２は、薬６３を収納する。収納容器７２は、上部が開口した容器である。また、収納容器７２は、本体７１に装着される。更に、収納容器７２は、表示部７３を有する。
【００５２】
表示部７３には、薬６３を服用する時間帯が表示される。具体的には、表示部７３には、「あさ」、「ひる」、又は「ばん」と表示されている。表示部７３に「あさ」と表示された収納容器７２には、朝に服用する薬６３が収納される。表示部７３に「ひる」と表示された収納容器７２には、昼に服用する薬６３が収納される。表示部７３に「ばん」と表示された収納容器７２には、晩に服用する薬６３が収納される。
【００５３】
脚部７５は、本体７１の下部の幅方向両端に配置される。脚部７５は、略直方体状に形成される。図５に示すように、薬収納ボード７をフック９に吊り下げる場合に、本体７１の下端が壁ＷＬの表面から離間するように、本体７１を傾斜させる。
【００５４】
このように、本体７１の下端が壁ＷＬの表面から離間するように傾斜しているため、収納容器７２に収納された薬６３の落下を抑制できる。なお、薬６３は、ユーザーがパッケージ６から分別して、曜日毎に、朝、昼、晩、に分けて個別に対応する収納容器７２に収納する。
【００５５】
図６に示すように、用紙８は、月日欄８Ａ、曜日欄８Ｂ、及び時間帯欄８Ｃを備える。月日欄８Ａには、月日を示す文字列が印刷される。曜日欄８Ｂには、曜日を示す文字が印刷される。
【００５６】
形成部１２４は、第１決定部１２１が決定したマークの画像を、薬カレンダーが印刷される用紙８に形成する。具体的には、形成部１２４は、時間帯欄８Ｃに、マークの画像を形成する。マークは、朝を示す朝マークＭＭ、昼を示す昼マークＭＡ、及び晩を示す晩マークＭＥを示す。
【００５７】
形成部１２４は、第１決定部１２１が決定した濃度の色画像を用紙８に形成する。色画像の濃度は、薬６３を服用する曜日を示す。
【００５８】
付与部１２３は、用紙８に、第１決定部１２１が決定した香りを付与する。すなわち、付与部１２３は、第１決定部１２１が決定した香りを構成するインクＫｃ〜インクＫｋを、記録ヘッド３４から用紙８に噴射することによって、用紙８に香りを付与する。具体的には、付与部１２３は、第１決定部１２１が決定した香りに対応する色の画像を、用紙８に形成する。「薬カレンダー」は、薬６３を服用する月日を示す。
【００５９】
図６に示すように、用紙８には、月曜日を示す濃度の色画像８１、火曜日を示す濃度の色画像８２、水曜日を示す濃度の色画像８３、木曜日を示す濃度の色画像８４、金曜日を示す濃度の色画像８５、土曜日を示す濃度の色画像８６、及び日曜日を示す濃度の色画像８７が形成されている。本実施形態では、各曜日を示す色画像８１〜８７の濃度は、下記の（２）式を満たす。
色画像８１の濃度＜色画像８２の濃度＜色画像８３の濃度
＜色画像８４の濃度＜色画像８５の濃度
＜色画像８６の濃度＜色画像８７の濃度    （２）
【００６０】
色画像８１は、収納容器７２のうち、月曜日に服用する薬６３が収容される位置に形成される。同様に、色画像８２〜色画像８７は、それぞれ、収納容器７２（図４参照）のうち、火曜日〜日曜日に服用する薬６３が収容される位置に形成される。
【００６１】
以上、図１〜図６を参照して説明したように、本実施形態では、付与部１２３が、薬カレンダーが印刷される用紙８に、薬６３を服用する人を示す香りを付与する。したがって、ユーザーが他の人の薬カレンダーと自分用の薬カレンダーと間違うことを抑制できる。
【００６２】
また、第１決定部１２１が、香りを付与する時点から薬６３を服用する月日までの期間に応じて、香りの強さを決定する。具体的には、香りを付与する時点から薬６３を服用する月日までの期間が長い程、香りの強さを強くする。また、決定された強さの香りを、付与部１２３が、用紙８の薬６３を服用する月日を示す位置に付与する。したがって、期間が経過しても、ユーザーが他の人の薬カレンダーが印刷された用紙８と自分用の薬カレンダーが印刷された用紙８と間違うことを抑制できる。
【００６３】
更に、形成部１２４が、薬カレンダーが印刷される用紙８に薬６３を服用する曜日を示す色の画像を形成する。よって、薬６３のパッケージ６に形成された画像の色と、薬カレンダーが印刷される用紙８に形成された画像の色とを対応付けることによって、ユーザーが薬６３を服用する曜日を間違えることを抑制できる。
【００６４】
次に、図１〜図７を参照して、制御部１２の処理について説明する。図７は、制御部１２の処理を示すフローチャートである。
図７に示すように、まず、ステップＳ１０１において、第１決定部１２１は、タッチパネル１３１に、選択可能な複数の香りを表示する。
次に、ステップＳ１０３において、第１決定部１２１は、タッチパネル１３１を介して、ユーザー（例えば、薬６３を服用する人）から香りの選択を受け付ける。
そして、ステップＳ１０５において、第１決定部１２１は、薬６３を服用する人の香りを決定する。
【００６５】
次に、ステップＳ１０７において、第１決定部１２１は、タッチパネル１３１を介して、ユーザーから薬６３を服用する曜日を受け付ける。
そして、ステップＳ１０９において、第１決定部１２１は、薬６３を服用する各曜日に対応する色を決定する。
次に、ステップＳ１１１において、第２決定部１２２は、薬６３のパッケージ６又は用紙８に香りを付与する時点から薬６３を服用する月日までの期間に応じて、香りの強さを決定する。
【００６６】
次に、ステップＳ１１３において、第１決定部１２１は、薬６３を服用する時間帯を示すマークを決定する。
そして、ステップＳ１１５において、形成部１２４は、薬６３のパッケージ６又は用紙８に色を示す画像、及びマークを示す画像を形成し、付与部１２３は、薬６３のパッケージ６又は用紙８に薬６３を服用する人を示す香りを付与する。その後、処理が終了する。
【００６７】
以上、図１〜図７を参照して説明したように、薬６３を服用する人を示す香りを薬６３のパッケージ６に付与するため、ユーザーが他の人の薬６３を自分用の薬６３と間違うことを抑制できる。
【００６８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６９】
（１）本実施形態では、図１を参照して説明したように、画像形成装置がインクジェット記録装置１であるが、本発明はこれに限定されない。画像形成装置が記録媒体に画像を形成する形態であればよい。例えば、画像形成装置が電子写真方式で記録媒体に画像を形成する形態でもよい。この形態では、トナーに香り成分を添加する。
【００７０】
（２）本実施形態では、図１を参照して説明したように、インクジェット記録装置１において香り成分がインクＫｃ〜Ｋｍに添加されているが、本発明はこれに限定されない。香り成分を薬のパッケージに付与する形態であればよい。香り成分をインクとは別に薬のパッケージに付与する形態でもよい。例えば、インクジェット記録装置１が記録ヘッド３４とは別に香り成分を薬のパッケージに付与するヘッドを備える形態でもよい。この場合には、香りを画像とは別に薬のパッケージに付与できる。
【００７１】
（３）本実施形態では、図１〜図３（ｂ）を参照して説明したように、第１決定部１２１が薬を服用する曜日を示す色を決定するが、本発明はこれに限定されない。第１決定部１２１が薬を服用する曜日又は薬を服用する月日を示す色を決定する形態であればよい。例えば、第１決定部１２１が薬を服用する月日を示す色を決定する形態でもよい。
【産業上の利用可能性】
【００７２】
本発明は、画像形成装置に関するものであり、産業上の利用可能性を有する。
【符号の説明】
【００７３】
１    インクジェット記録装置（画像形成装置）
１２    制御部
１２１    第１決定部
１２２    第２決定部
１２３    付与部
１２４    形成部
１３    操作表示部
１３１    タッチパネル
２    給送部
３    画像形成部
３１    搬送部
３２    搬送ベルト
３４（３４ａ、３４ｂ、３４ｃ、３４ｄ）    記録ヘッド
６    パッケージ
６２１〜６２５    色画像
７    薬収納ボード
８    用紙
８１〜８７    色画像
ＭＭ    朝マーク
ＭＡ    昼マーク
ＭＥ    晩マーク
【図１】
2018166627.tif 000003
【図２】
2018166627.tif 000004
【図３】
2018166627.tif 000005
【図４】
2018166627.tif 000006
【図５】
2018166627.tif 000007
【図６】
2018166627.tif 000008
【図７】
2018166627.tif 000009